(57)【要約】【課題】カーテン生地に図柄が印刷されたロールカーテンにおいて、印刷された図柄がインク本来の色が発現された極めて美しいものであり、インテリアやエクステリアの装飾品として好適に使用可能なロールカーテンを提供すること。【解決手段】表面に所定の図柄が印刷されたカーテン生地と、該カーテン生地の基端部が取り付けられてその外周面に沿ってカーテン生地が巻回される巻き取り軸と、該巻き取り軸を正逆両方向に回転可能な回転機構とからなり、前記カーテン生地の図柄は、該カーテン生地表面にインクの塗布により下地層を設けた後、該下地層上に所定の色のインクを塗布することにより形成され、前記下地層を形成するインクが白色インクもしくは下地層上に塗布されるインクの色と補色関係にある色のインクとされている。【選択図】　図１
0003096831.tif 000002
【実用新案登録請求の範囲】
【請求項１】
表面に所定の図柄が印刷されたカーテン生地と、該カーテン生地の基端部が取り付けられてその外周面に沿ってカーテン生地が巻回される巻き取り軸と、該巻き取り軸を正逆両方向に回転可能な回転機構とからなり、前記カーテン生地の図柄は、該カーテン生地表面にインクの塗布により下地層を設けた後、該下地層上に所定の色のインクを塗布することにより形成されてなることを特徴とするロールカーテン。
【請求項２】
前記下地層を形成するインクが白色インクであることを特徴とする請求項１記載のロールカーテン。
【請求項３】
前記下地層を形成するインクが、該下地層上に塗布されるインクの色と補色関係にある色のインクであることを特徴とする請求項１記載のロールカーテン。
【請求項４】
前記カーテン生地の色が、白色以外の色であることを特徴とする請求項１乃至３いずれかに記載のロールカーテン。
【請求項５】
前記下地層が、カーテン生地の少なくとも図柄が形成される部分を含む一部分のみに設けられてなることを特徴とする請求項１乃至４いずれかに記載のロールカーテン。
【請求項６】
前記下地層が、インクジェットプリンタにより塗布された速乾性白色インクにより形成されてなることを特徴とする請求項２記載のロールカーテン。
【請求項７】
前記速乾性の白色インクが溶剤系顔料インクであることを特徴とする請求項６記載のロールカーテン。
【考案の詳細な説明】
【０００１】
【考案の属する技術分野】
本考案はロールカーテンに関し、より詳しくは、カーテン生地に印刷された図柄がインク本来の色が発現された極めて美しいものであり優れた装飾効果を発揮することができるロールカーテンに関する。
【０００２】
【従来の技術】
ロールカーテンは、簡単な操作で開閉でき、また取り付けも手軽に行えることから、窓からの光を遮るために用いられるだけではなく、部屋のインテリアやエクステリアの装飾品としての用途にも用いられている。
このように、ロールカーテンが単なる遮光目的だけでなくインテリアやエクステリアの装飾品としても好まれて用いられているのは、ロールカーテンにはカーテン生地に写真や絵などの美しい図柄が印刷された美観的に優れたものが多く、絵画や写真を飾るような感覚で取り付けることができるためである。
【０００３】
従って、ロールカーテンには、カーテン本来の目的である遮光機能が求められるのは勿論であるが、このような本来の機能よりもむしろカーテン生地にどのような図柄が描かれているか、言い換えればカーテン生地が如何に美しい美観を備えているかということの方が重要視されているといってもよい。
【０００４】
ロールカーテンのカーテン生地に図柄を形成する方法は色々あるが、最近では仕上がりの美しさと速さが好まれて、インクジェットプリンタを用いて生地表面に図柄を印刷する方法が採られていることが多い。
【０００５】
【考案が解決しようとする課題】
しかしながら、インクジェット印刷によりカーテン生地に図柄を印刷する場合、生地が着色されていると、生地の色が塗布されたインクを透けて見えるために、インク本来の色が表現されず、美しい仕上がりが得られないという問題があった。
そこで、従来は白色の生地を使用し、白色生地の図柄以外の部分に下地の色をべた塗りする方法が採られているが、この方法では下地インクを大量に必要とし、経済的でない上に、べた塗りによるムラが生じるという問題があった。
【０００６】
本考案は、かかる従来技術の問題点を解決すべくなされたものであって、カーテン生地に図柄が印刷されたロールカーテンにおいて、印刷された図柄がインク本来の色が発現された極めて美しいものであり、インテリアやエクステリアの装飾品として好適に使用することができるロールカーテンを提供せんとするものである。
【０００７】
【課題を解決するための手段】
本考案は上記課題を解決するための以下の手段を採用した。
請求項１に係る考案では、表面に所定の図柄が印刷されたカーテン生地と、該カーテン生地の基端部が取り付けられてその外周面に沿ってカーテン生地が巻回される巻き取り軸と、該巻き取り軸を正逆両方向に回転可能な回転機構とからなり、前記カーテン生地の図柄は、該カーテン生地表面にインクの塗布により下地層を設けた後、該下地層上に所定の色のインクを塗布することにより形成されてなることを特徴とするロールカーテンとした。
請求項２に係る考案では、前記下地層を形成するインクが白色インクであることを特徴とする請求項１記載のロールカーテンとした。
請求項３に係る考案では、前記下地層を形成するインクが、該下地層上に塗布されるインクの色と補色関係にある色のインクであることを特徴とする請求項１記載のロールカーテンとした。
【０００８】
請求項４に係る考案は、前記カーテン生地の色が、白色以外の色であることを特徴とする請求項１乃至３いずれかに記載のロールカーテンとした。
請求項５に係る考案は、前記下地層が、カーテン生地の少なくとも図柄が形成される部分を含む一部分のみに設けられてなることを特徴とする請求項１乃至４いずれかに記載のロールカーテンとした。
請求項６に係る考案は、前記下地層が、インクジェットプリンタにより塗布された速乾性白色インクにより形成されてなることを特徴とする請求項２記載のロールカーテンとした。
請求項７に係る考案は、前記速乾性の白色インクが溶剤系顔料インクであることを特徴とする請求項６記載のロールカーテンとした。
【０００９】
【考案の実施の形態】
以下、本考案に係るロールカーテンの好適な実施形態について、図面を参照しつつ説明する。
図１は本考案に係るロールカーテンの一例を示す外観斜視図である。
本考案に係るロールカーテン（１）は、図示の如く、表面に所定の図柄（Ａ）が印刷されたカーテン生地（２）と、該カーテン生地（２）の基端部が取り付けられてその外周面に沿ってカーテン生地が巻回される巻き取り軸（３）と、該巻き取り軸（３）を正逆両方向に回転可能な回転機構（４）とから構成される。
【００１０】
カーテン生地（２）の素材としては、可撓性のある布又は合成樹脂シート、或いはこれらの積層体などが好適に用いられ、具体的にはターボリン、塩化ビニルシート、ポリオレフィンフィルム等を好適な例として挙げることができる。但し、本考案において使用可能なカーテン生地の素材は、必ずしもこれらに限定されるものではなく、一般にロールカーテンのカーテン生地として使用されている公知の素材を適宜選択して使用することができる。
また、カーテン生地（２）の色は、白、黒、青、赤、グレー、ベージュなど任意の色のものを使用することができ、また無色又は有色の透明や半透明であってもよいが、本考案はカーテン生地（２）の色が白色以外の場合、特に黒や紺などの濃い色の場合に最もその効果を発揮する。
また、カーテン生地（２）の大きさは、特に限定されず、室内のカーテンとして使用される小型のものから、宣伝用の垂れ幕として使用可能な大型のものまで、様々な大きさとすることができる。
【００１１】
カーテン生地（２）の表面には、所定の図柄（Ａ）が印刷されている。
図柄（Ａ）は、図１では野球選手の写真を印刷した例を示しているが、本考案においては特に図柄の種類は限定されず、サッカー選手やプロゴルファー等の他のスポーツ選手の写真、風景写真、動物写真、歌手や俳優の写真であってもよいし、絵画やイラスト、漫画、幾何学模様などであってもよい。
【００１２】
上記したようなカーテン生地（２）は、その基端部（上端部）が略円筒状の巻き取り軸（３）に取り付けられており、その終端部（下端部）には円筒状のステイ（５）が取り付けられている。このステイ（５）はカーテン生地（２）をピンと張って展開させるための錘の役割を果たす。
【００１３】
図２は回転機構（４）の構成を概略的に示す図であり、（ａ）は正面図、（ｂ）は側面図である。
回転機構（４）は、図２に示す如く、巻き取り軸（３）の左右いずれか一方の端部（図１では左側）に嵌着されたスプロケット（６）と、該スプロケット（６）に噛み合わされた、紐に所定間隔で球体を取り付けた構造からなるチェーン（７）とから構成されている。
スプロケット（６）の中心には巻き取り軸（３）の端部に設けられる突出部が嵌入される長穴（６２）が設けられており、また側面にはチェーン（７）の紐部分が嵌まり込むことができる溝（６１）が形成されている。
このような回転機構（４）の構成によって、手前側又は奥側のチェーン（７）を引っ張ることでスプロケット（６）を正方向又は逆方向に回転させて、カーテン生地（２）を展開・収納することが可能となっている。
【００１４】
本考案に係るロールカーテンでは、カーテン生地（２）の図柄（Ａ）が、インクの塗布により形成された下地層上に塗布された所定の色のインクにより形成されてなることを大きな特徴とするものである。
すなわち、図３に示す如く、カーテン生地（２）の表面には先ずインクからなる下地層（８）が設けられ、該下地層（８）の表面に図柄を形成するための所定の色のインクからなる図柄層（９）が設けられている。
この下地層（８）は、カーテン生地（２）の全面に亘って形成してもよいが、少なくとも図柄（Ａ）を印刷する部分、即ち図柄層（９）が設けられる部分のみに形成すればよい。
【００１５】
下地層（８）を形成するインクの色は白色とされるか、若しくは下地層上に塗布されるインク（図柄層を形成するインク）の色と補色関係にある色とされる。本考案では、このようにカーテン生地（２）の図柄（Ａ）を、下地層上に塗布された所定の色のインクにより形成することによって、カーテン生地が着色されていた場合でも、その生地の色に影響されることなく図柄を形成するインク本来の色が発現され、極めて美しく自然な色合いの図柄を得ることができる。そして、下地層を白色又は図柄層と補色関係にある色のインクにより形成することによって、かかる効果をより一層明確に発揮することができる。
【００１６】
下地層（８）及び図柄層（９）は、好ましくはインクジェットプリンタによる印刷により形成される。
図柄層（９）を形成する所定の色のインクは、通常のインクジェットカラープリンタのインクとして使用される、シアン（Ｃ）、マゼンダ（Ｍ）、イエロー（Ｙ）、ブラック（Ｋ）の４種類のインクからなり、これらの色のインクを組み合わせることで所望の色を作り出す。
使用されるインクの具体例としては、例えばＡＰＩ−Ｘ３Ｍ，ＡＰＩ−Ｘ３Ｙ，ＡＰＩ−Ｘ３Ｃ，ＡＰＩ−Ｘ３Ｋ（株式会社ぺんてる製、いずれも品番）が挙げられるが、特にこれらに限定されるものではない。
尚、上記した４色に加えて、ライトマゼンダ、ライトシアン等の他の色のインクを使用してもよい。
【００１７】
下地層（８）を形成する白色インクとしては、溶剤系の顔料インクからなる速乾性白色インクが好適に用いられる。
このような白色インクは、例えば着色剤（顔料）、溶剤及び水を主成分とするものであり、白色顔料としては、シリカ、酸化チタン、酸化アルミ、炭酸カルシウム、炭酸マグネシウム、ケイ酸アルミニウム、酸化ケイ素、酸化亜鉛、タルク、クレイ等が挙げられ、溶剤としてはメタノール、エタノール、ｎ−プロピルアルコール、イソプロピルアルコール、ｎ−ブタノール、ペンタノール等の有機溶剤が挙げられる。
【００１８】
一般に、白色インクは、顔料粒子の比重と液媒体との比重の差により顔料が沈降・凝集するため、インクジェットのノズルを目詰まりさせたり、また顔料の粒子が小さいために隠蔽力が不十分であるという問題がある。
そこで本考案では、顔料の沈降・凝集を防ぐための方法として、例えば、顔料の分散安定性のために、アクリル系エステルモノマー単位を重合する重合体を加える方法や、顔料と高分子分散剤と水と水に不溶な樹脂エマルジョンを含んだインクとする方法、或いは、無機リン酸化合物により表面処理された二酸化チタン粒子を水に分散させた二酸化チタンスラリーを含んだインクとする方法などが好ましく採用される。
【００１９】
上記した二酸化チタンスラリーを含んだインクとする方法においては、無機リン酸化合物として、リン酸、リン酸アンモニウム、リン酸水素二アンモニウム、リン酸水素三アンモニウムなどが使用され、このような無機リン酸化合物で表面処理された二酸化チタン粒子の平均１次粒子径は０．０１〜１．０μｍとされ、スラリー中の二酸化チタン粒子の濃度は３０〜７０％とされる。
このような二酸化チタンスラリーを含んだ白色インクは、目詰まりが生じにくく、遮蔽性に優れたインクジェット用インクとなり、本考案において好ましく用いることができる。
【００２０】
また、白色インクとして、粒子径が０．０１〜０．３μｍの有機白色顔料と、これを分散する分散剤を含有するものを使用する構成も好ましく採用できる。
このような有機白色顔料は、インク全量に対して１〜１０％程度配合され、具体的には、例えばエチレン−ビス−メラミン（商品名：シゲノックスＯＷＰ、ハッコールケミカル株式会社製）等が使用される。
【００２１】
上述したような白色インクには、速乾性を高めるために、界面活性剤や浸透剤が適宜配合される。また、更に、ｐＨ調整剤や防腐剤などを適宜配合することもできる。
【００２２】
本考案において好適に使用することができる溶剤系の顔料インクからなる速乾性白色インクの具体例としては、例えば株式会社ぺんてるのインクジェットプリンタ（商品名「ＡＤＰＩＣＴＯ」）に使用されている白色インクを挙げることができる。
【００２３】
【考案の効果】
以上説明したように、本考案によれば、カーテン生地の図柄が、インクの塗布により形成された下地層上に塗布された所定の色のインクにより形成されているため、カーテン生地が着色されていた場合でも、その生地の色に影響されることなく図柄を形成するインク本来の色が発現され、極めて美しく自然な色合いの図柄を有するロールカーテンとなり、インテリアやエクステリアの装飾用として好適に利用できるという優れた効果を奏する。
また、下地層を形成するインクが白色である場合には、インク本来の色がより自然に美しく発揮される。
また、下地層を形成するインクが、該下地層上に塗布されるインクの色と補色関係にある色のインクである場合には、図柄の色が引き立ち、美しい外観を得ることができる。
また、前記カーテン生地の色が白色以外の色である場合には、上記した効果がより明確に発揮される。
また、下地層がカーテン生地の図柄が形成される部分のみに設けられている場合には、下地層を形成するインクの消費量を削減することができる。
また、下地層がインクジェットプリンタにより塗布された速乾性白色インクにより形成されている場合には、美しい図柄が印刷されたロールカーテンを迅速に効率良く得ることができる。
また、速乾性の白色インクが溶剤系顔料インクである場合には、下地層上へのインクの塗布を良好に行うことができるとともに、耐光性や耐水性に優れた、良好な図柄の仕上がりを得ることができる。
【図面の簡単な説明】
【図１】本考案に係るロールカーテンの一例を示す外観斜視図である。
【図２】回転機構の構成を説明する概略図である。
【図３】図柄が印刷されたカーテン生地の概略拡大断面図である。
【符号の説明】
１　　　ロールカーテン
２　　　カーテン生地
３　　　巻き取り軸
４　　　回転機構
８　　　下地層
９　　　所定の色のインクからなる図柄層
Ａ　　　図柄
【図１】
0003096831.tif 000003
【図２】
0003096831.tif 000004
【図３】
0003096831.tif 000005